Podtech/llm-jp-corpus-v4-ja_patent huggingface dataset:
(57)【要約】【課題】  眠ってしまった赤ちゃんを布団に移す際、赤ちゃんを起こす事なく、だっこした腕を赤ちゃんの首の下から抜く事ができる器具、並びに、首部の高さを上下させられる事により、赤ちゃんの喉への圧迫を和らげ、楽な呼吸ができ、また、赤ちゃんの頭の形が悪くなる事を防ぐ機能を備えた器具を提供する。【解決手段】  市販の布団の下に、器具１を置く。器具上部の調節つまみ４を回す事により、器具内部で連携しているギア５、６、７、９を回転させ、赤ちゃんの首がくる部分２を上下させると同時に、頭のくる部分を前後させる構造になっている。【選択図】  図２
2005028060.tif 000002
【特許請求の範囲】
【請求項１】
赤ちゃん用の布団の下に置く器具で、器具上部に取り付けた手動の調節つまみを回す事により、器具内部で連携しているギアを回転させ、赤ちゃんの首にくる部分を上下、頭のくる部分を前後させることができ、調節つまみで首部を下げることにより、眠っている赤ちゃんを布団に寝かせる時、赤ちゃんを起こす事なくだっこした腕を抜く事ができる器具。
【請求項２】
調節つまみで、首部を上げることにより、寝ている赤ちゃんの首を持ち上げ赤ちゃんの呼吸を楽にしてあげられる器具。
【請求項３】
首部を上下させる際にできるふとんのはりやたるみをなくすために、調節つまみで、同時に頭部も前後にスライドする器具。
【請求項４】
器具上部に手動の調節つまみをつけ、床の上でもベビーベットにでも使用できる器具。
【発明の詳細な説明】
【発明の詳細な説明】
【技術分野】
【０００１】  本発明は、赤ちゃん用の布団に関するものである。
【背景技術】
【０００２】  従来の赤ちゃん用の布団は、赤ちゃんの下に敷くためだけの用具であるため、一枚の平らなものだった。
【発明が解決しようとする課題】
眠ってしまった赤ちゃんを布団に移す際、従来の布団だと平らなため、赤ちゃんを起こさずに、だっこした腕を赤ちゃんの首の下から抜く事が困難であった。また、赤ちゃんを寝かせた時に、赤ちゃんの頭が、平らな布団や枕を使う事により、赤ちゃんの喉が圧迫され、呼吸が苦しくないか心配だった。また、平らな布団により、赤ちゃんの頭の形が絶壁になるなど、頭の形が悪くなってしまっていた。
【課題を解決するための手段】
【０００３】  上記の問題を解決するために、布団の下に簡単に置くだけの器具を発明した。この器具を市販の布団の下に置くと、赤ちゃんが布団に寝た時に、首にくる部分を上下させることができる。器具上部に調節つまみがついており、それを回すことで首部分の高さを自在に調節できる。この調節つまみで、首下部分を下げる事により、眠ってしまった赤ちゃんをだっこした状態で布団に寝かせる時、だっこした腕を首下部分の下がった部分に入れ、赤ちゃんを起こす事なく、腕を抜くことができる。そして、腕を抜いたあと、下がっていた首下郎分を、調節つまみで上にあげる。その際、赤ちゃんにあった高さに調節することにより、首が上がり枕を使用した場合でも、呼吸を楽にすることができる。また、首を上げたことにより、絶壁になるなどの頭の形が悪くなる事を防ぐ。
【発明を実施するための最良の形態】
【０００４】  以下、本発明の詳細を図に示した実施例に基づき説明する。図において、器具１の上に、市販の布団を敷く。調節つまみ４で、赤ちゃんの首の部分にあたる上下する部分２を下げ、眠ってしまった赤ちゃんをだっこした状態で、首を支えている腕を２に入れる。その後、２から腕を抜き調節つまみ４で、下がっていた部分を、赤ちゃんに合った高さに上げる。
【発明の効果】
【０００５】  本発明は、上記のごとく構成されたものであるから、眠ってしまった赤ちゃんに気づかれずに、だっこした腕を赤ちゃんの首の下から抜くことができるのである。また、赤ちゃん個人個人にあった高さに調節できるため、喉が圧迫されず、呼吸に対する心配がなくなると共に、頭の形が悪くなる事を防ぐことができる。また、高さを調節する際、器具頭部が前後にスライドするので、隙間があくことがなく、布団にはりやたるみができない。
【０００６】  また、本発明は布団の下に置くだけなので、ベットでも床でも使用できるため、どこの家庭でも使用することができる。
【図面の簡単な説明】
【図１】  器具を横から見た図である。
【図２】  器具を横から見た断面図である。
【図３】  器具を上から見た断面図である。
【図４】  器具を市販のふとんの下に取り付けた時の図である。
【図５】  本発明の実施例を上から見た図である。
【符号の説明】
１  発明した器具本体
２  赤ちゃんの首部分にあたる、上下する部分
３  頭部スライド台
４  調節つまみ
５  ギア
６  ギア
７  ギア
８  符号２を上下させる足
９  ギア
１０  市販のふとん
１１  寝ている赤ちゃん
１２  赤ちゃんをベットに寝かせようとしている人の手
１３  寝ている赤ちゃんを起こさないように抜いた手
【図１】
2005028060.tif 000003
【図２】
2005028060.tif 000004
【図３】
2005028060.tif 000005
【図４】
2005028060.tif 000006
【図５】
2005028060.tif 000007
(57)【要約】【課題】火災等の災害時において、動力が遮断され、エレベーターが使用できない場合においても重力を動力として使っている為、停電に関係なく利用できる。また、ハシゴのように高齢者や障害者が使用するには危険が伴う脱出法に比べかごを設けているのでより、安全に使用できる非常救出装置を提供する。【解決手段】落下防止装置（５）を具備したかご（１）と釣合おもり（２）、ロック装置（４）および制動装置（３）により構成され重力により作動し、人工動力を使わず災害時においても安全に脱出できることを特徴とした非常救出装置。【選択図】図１
2005028056.tif 000002
【特許請求の範囲】
【請求項１】
かご（１）とかご（１）に組みこまれた落下防止装置（５）と釣合おもり（２）、制動装置（３）およびロック装置（４）を備え、かご（１）と釣合おもり（２）の重量差を利用して、重力降下することを特徴とする非常救出装置。
【発明の詳細な説明】
【発明の詳細な説明】
【技術分野】
【０００１】  この発明は、テナントビルや雑居ビル上階に居住する高齢者、子供、障害者等が火災等の災害により、電源が遮断されエレベーターが使用出来ないような場合、安全に人名救助できるようにした非常救出用装置に関するものである。
【背景技術】
【０００２】  従来の救出法は、ベランダに折りたたみ式のハシゴが設置されており、上階から下階にハシゴをを使って脱出を計るかワイヤーを体に巻いて窓から降下している。
【発明が解決しようとする課題】
【０００３】  これは、次の欠点があった。高齢者や障害者あるいは、子供が独力での脱出は危険が伴い非常に困難だった。
【課題を解決するための手段】
【０００４】  利用者がのるかご（１）と降下速度を緩める釣合おもり（２）と降下を制動する制動装置（３）とロック装置（４）および落下防止装置（５）から構成される非常救出装置である。
【発明を実施するための最良の形態】
【０００５】以下実施の形態を説明する。
（イ）  利用者がのるかご（１）とロープ破断時にガイドレールを掴み落下を防止する落下防止装置（５）をかご（１）に具備する。
（ロ）  降下速度を抑制し、いったん利用者を降ろしたあと、再度利用する際、上昇を可能にする釣合おもり（２）を設ける。
（ハ）  降下速度を一定にする制動装置（３）を設ける。
（ニ）  救出装置の作動停止用ロック装置（４）を設ける。
本発明は、以上の構成よりなっている。
本発明を使用する場合は、次のようにして利用できる。
本発明では、利用者が乗るかご（１）はロープで吊ってあるので、ロープ破断時に備え、落下防止装置（５）がかご（１）に具備してある。かご（１）はロック装置（４）で固定されており、まず利用者がかご（１）に乗込みロック装置（４）の開放レバーを引くとかご（１）は降下を始める。かご（１）の反対側には、釣合おもり（２）が吊ってある為、急降下は無く、緩降下する。降下はかご総重量（かご自重＋積載量）と釣合おもり（２）の重量差で行われる為、降下行程が大きいと到着時の速度が速くなり危険な為、制動装置（３）を設け減速する。尚、重量差による加速度および速度は次式で表される。
2005028056.tif 000003
利用者が脱出階に到着するとロック装置（４）が掛かり、固定される。尚、利用者が複数以上の場合はロック装置（４）を開錠すると、かご（１）の自重は釣合おもり（２）の重量より軽い為、かご（１）は上昇する。利用階に到着すると停止して、ロック装置（４）により固定される。これにより、再度利用可能な状態となる。
上昇、下降の関係は次式で表される。
おもり重量：かご自重＋０．４〜０５×積載量
かご上昇時（かご最下階）
重量差＝おもり重量−かご自重≦おもり重量
かご下降時（かご最上階）
重量差＝かご自重＋積載量−おもり重量≧おもり重量
【発明の効果】
【０００６】  本発明は重力降下方式をとっている。従って、人工動力は使用していない為、災害時に動力が遮断されても作動が可能である。また、本発明を使用することによって、高齢者や障害者も安全に使用することが可能となる。
【図面の簡単な説明】
【図１】本発明の全体構成図
【図２】本発明の主要構成品図
【符号の説明】
１．かご
２．釣合おもり
３．制動装置
４．ロック装置
５．落下防止装置
【図１】
2005028056.tif 000004
【図２】
2005028056.tif 000005
(57)【要約】      （修正有）【課題】従来のビニール、ナイロン等の敷きマットは、軽く、小さく折りたため、しかも安価である為に多くの人々に使用されてきた。しかし、薄く軽すぎる為に、風に飛ばされたり煽られたり、砂が飛ぶなどして不快な思いをすることが多かった。【解決手段】屋外で使用される敷きマット１の外周部に袋状のポケット２、４をつけることによって、現地についてからこの袋状のポケットに土砂を入れ、重しとして使用する。帰路には入れた土砂を捨ててしまう為、往復路においてはこの袋状のポケットは空となり、小さく折りたたむことが出来る。敷きマット自体も軽く、安価製造することが出来る。又、往復路においてはこの袋状のポケットは空であり、小物を入れて持ち運べ、バッグとして使用することが出来る。又、往復路においてはこの袋状のポケットは空であるために小物を入れて持ち運べる。バッグとして使用することが出来る。【選択図】図１
2005028077.tif 000002
【特許請求の範囲】
【請求項１】
屋外において使用する敷きマットの外周周辺部に袋状のポケットを設けて、現地についてからポケットに土砂を入れて重しとする敷きマット。
【発明の詳細な説明】
【発明の詳細な説明】
この発明は屋外に海水浴やハイキングに行った場合に使用する敷きマットであり、その敷きマットの外周部に袋状のポケットを設けて現地についてからポケット内部に土砂を入れて、風に煽られたり飛ばされたりしないようにする。従来のナイロン、ビニール等の敷きマットは軽く、小さく折たため、又安価である為多くの人に使用されてきた。しかし薄く軽い為に少しの風でも煽られたり、風に吹き飛ばされたりすることが多く、マットの周辺部に荷物を置いたり石を置いたりしていた。又、隅角部にピンを刺す物もあるがピンを紛失する他、砂浜等では風によりピンが抜けてしまいその効果はなかった。砂浜等において石は少なく砂を使用する方法しかない。食物等を敷きマットの上に置いておくと、風に煽られて飛んだ敷きマットの上の砂が混入して不快な思いをすることが多かった。本発明は敷きマットが風に煽られたり飛ばされたりしない簡単な解決方法である。（イ）  ナイロン、ビニール等の敷きマットの外周部分に袋状のポケットを設けて現地についてから袋状のポケットに土砂を入れて重しとする（ロ）  帰りには土砂は現地に捨ててくる（ハ）  袋付き敷きマットのポケットは往復路においては空となる為に小物入れに使用する事ができ、バッグの代わりとなる（ニ）  袋状の敷きマットのポケットの入口にマジックテープやチャック等を取り付け、往復路におけるポケットの中の小物等が落下するのを防ぐ  以上のように、屋外で使用する敷きマットの外周部に蓋付きの袋状ポケットをつけておけば敷きマットが風に煽られたり飛ばされたりする事はなく、往復路においては小物入れのバッグとして使用することも出来る
【図面の簡単な説明】
【図１】本発明の平面図
【符号の説明】
▲１▼は敷きマット    ▲２▼は大きい袋状のポケット  枕にも使用できる▲３▼はマジックテープ又はチャック等の蓋    ▲４▼は小さい袋状のポケット、小物入れに使用できる
【図１】
2005028077.tif 000003
(57)【要約】      （修正有）【課題】主婦が煮魚料理する時に光熱費、調味料を最小限に節約出来、出来上がった煮魚を型くずれなく取り出しやすくした鍋を提供する。【解決手段】鍋を長方形とした。近年核家族化で少人数の家族構成の為現在市販されている丸い鍋だと煮汁が沢山残り不経済であり、煮魚を取り出す時、丸い鍋だと困難で型くずれしやすい。長方形鍋は、お皿の上にひっくり返して簡単に盛り付ける事もできる。【選択図】なし【特許請求の範囲】
【請求項１】
長方形で魚、その他煮物用に使用しる小型の鍋
【請求項２】
長方形で煮魚に使用した時に煮汁が  吹きこぼれない程度の深さのある鍋
【発明の詳細な説明】
【発明の効果】
現代核家族の為  家庭の小人数化している、魚等を煮る１〜２匹程の魚を煮るのに  調味料が約半分程で済む長方形の為  魚を取り出す時に型崩れしない、光熱費も少なくて済む
【産業上の利用分野】
本発明は、主婦の方が煮魚等を上手に煮付けても  鍋から取り出す時に  ほとんどの人がくずれて仕舞い、きれいな姿で、取り出せないが  この鍋を使用すれば簡単に  煮魚を鍋から取り出せる
(57)【要約】      （修正有）【課題】  家庭にあるガステーブルで鍋感覚で調理ができるなべオーブンを提供する。【解決手段】  ガステーブル５の火４の上に浅い容器２を載せ、その浅い容器２の棚３の上に食物を載せ、この浅い容器２を覆う形で浅い容器２を上方より深い容器１にて覆い被せ、深い容器を多重構造にすることにより保温効果をより一層高めて調理する。【選択図】    図１
2005028079.tif 000002
【特許請求の範囲】
【請求項１】
浅い容器（２）に棚（３）を設け、浅い容器（２）に深い容器（１）を被せたなべオーブン。
【発明の詳細な説明】
【発明の詳細な説明】
【技術分野】
【０００１】この発明は、浅い容器（２）の棚（３）に食物を乗せ、  浅い容器（２）の下部に熱を当て、深い容器（１）を被せ、保温効果を高めて調理するなべオーブンである。
【背景技術】
【０００２】従来、重量が重く、深形の物があった。
【発明が解決しょうとする課題】
【０００３】これは次のような欠点があった。
（イ）  重量が重く、取り扱いが大変難しかった。
（ロ）  容器が深く出し入れが難しかった。
本発明は、これらの欠点を除くためになされたものである。
【課題を解決するための手段】
【０００４】  浅い容器（２）に棚（３）を設け、浅い容器（２）に軽いて深い容器（１）を被せた。
本発明は、以上のような構成よりなるなべオーブン。
【発明を実施するための最良の形態】
【０００５】以下の、本発明の実施の形態について説明する。
（イ）  浅い容器（２）に棚（３）を設けた。
（ロ）  深い容器（１）を浅い容器（２）に被せた。
本発明は以上のような構造で、これを使用するときは、浅い容器（２）の下部に熱を当て、浅い容器（２）の棚（３）に食物を乗せ、深い容器（１）を浅い容器（２）に被せ、保温を高めて調理する。
なお、深い容器（１）の上部に把手（６）を設け、食物の出し入れを簡単にする。
深い容器（１）を多重構造にすることで保温性をより高める。
食物とは、例えば  パン、ピッザ、ケーキ、イモ、肉等。
【発明の効果】
【０００６】家庭の調理器（５）の熱を用いてオーブンの調理機能を果たし、手軽で経済的に調理する。
【図面の簡単な説明】
【０００７】
【図１】  本発明の一部を切り欠いた斜視図ある。
【図２】  本発明を分解した斜視図である。
【図３】  本発明の一部を切り欠いた実施例を示す前面図である。
【符号の説明】
【０００８】      １  深い容器
２  浅い容器
３  棚
４  火
５  ガステーブル
６  把手
【図１】
2005028079.tif 000003
【図２】
2005028079.tif 000004
【図３】
2005028079.tif 000005
(57)【要約】【課題】  従来の便座は、排便排尿を促進するものではなかった。また、猫背になりやすいという特徴もあった。これは従来の便座が、座り心地を重視し、便座の形状をすり鉢状、もしくは平坦にしていたためである。【解決手段】臀部が当たる便座中央部やや後方の両側部（１）を平坦にし、そこを頂点として後端部（２）、前端部（３）に向かってなだらかに傾斜することによって、臀部の圧迫、肛門や腹部等の圧迫を軽減する。また、便座全体の断面を全体を通して台形にすることで、便座の内側への臀部の落ち込みを回避することが可能になる。そして、これらのことは姿勢を正すことにもつながり、猫背の防止にもなる。【選択図】図１
2005028074.tif 000002
【特許請求の範囲】
【請求項１】
使用者が便座に着座した際に、臀部が当たる便座中央部やや後方の両側部（１）を平坦にしたことを特徴とする便座。
【請求項２】
請求項１に記載した両側平坦部より、尾てい骨が当たる後端部（２）に向かってなだらかに傾斜した請求項１に記載の便座。
【請求項３】
請求項１に記載した両側平坦部より、前端部（３）に向かって、なだらかに傾斜した請求項１又は請求項２に記載の便座。
【請求項４】
便座全体の断面が、全体を通して台形になっている請求項１又は請求項２又は請求項３に記載の便座。
【発明の詳細な説明】
【技術分野】
【０００１】  本発明は、使用者が便座に着座した際に、排便排尿を容易にならしめることを目的とした便座である。また、この便座に着座することによって、人体工学的に正しい姿勢を保てるように工夫された便座である。
【背景技術】
【０００２】  従来の便座は、着座部分を含め、便座全体が内側にすり鉢状になっているものか、もしくは、便座全体が平坦な形状になっている。
【発明の開示】
【発明が解決しようとする課題】
【０００３】  しかしながら、上記従来の便座では、使用者が便座に接する臀部部分は内側に圧迫され、そのため、排便排尿時に肛門や腹部等に負荷がかかっていた。また、使用者は猫背になる傾向があった。本発明は、以上のような欠点を補うためになされたものである。
【課題を解決するための手段】
【０００４】  本発明では、上記従来の課題を解決するための手段として、便座の着座部分が、従来のすり鉢状や平坦ではなく、臀部が当たる便座中央部やや後方の両側部分（１）を平坦にする。その平坦部を頂点として後端部（２）、前端部（３）に向かってなだらかに傾斜させる形状にし、便座全体の断面を全体を通して台形にすることで課題を解決する。また、この形状は背筋を伸ばす効果もあり、姿勢がよくなる。
【発明の効果】
【０００５】  本発明の便座では、排便排尿時に肛門や腹部等への負荷が軽減し、排便排尿が容易になる。また人体工学的に正しい姿勢を保つことが可能になる。
【発明を実施するための最良の形態】
【０００６】  上記のように構成すれば、使用者が両側平坦部に着座することで、便座に接する臀部部分は圧迫感が軽減される。また、やや前傾姿勢を保つため、臀部後方部分への圧迫感も軽減される。そして、背筋を伸ばす効果もある。
【実施例】
【０００７】  本発明を図１〜図４に示す実施例によって説明すると、臀部が当たる便座中央部やや後方の両側部（１）を平坦にし、そこを頂点として、後端部（２）、前端部（３）に向かって、なだらかに傾斜する。【０００８】  両側部分（１）を平坦にすることによって、便座に接する臀部部分の圧迫を軽減し、排便排尿時の肛門や腹部等の負荷を軽減する。【０００９】  両側平坦部（１）から後端部（２）に向けてなだらかに傾斜させることで、便座に接する臀部後方部分の圧迫感が軽減される。【００１０】  両側平坦部（１）から前端部（３）に向けてなだらかに傾斜させることで、使用者の姿勢がやや前傾になり、人体工学的に正しい姿勢を保つことが可能になる。【００１１】  便座全体の断面を全体を通して台形にすることで、便座の内側への臀部の落ち込みを回避することが可能になる。
【図面の簡単な説明】
【図１】斜面図
【図２】平面図
【図３】側面図
【図４】図２におけるＡ−Ａ断面図
【図５】従来の便座
【図６】図５におけるＢ−Ｂ断面図
【符号の説明】
１  両側平坦部
２  後端部
３  前端部
【図１】
2005028074.tif 000003
【図２】
2005028074.tif 000004
【図３】
2005028074.tif 000005
【図４】
2005028074.tif 000006
【図５】
2005028074.tif 000007
【図６】
2005028074.tif 000008
(57)【要約】【目的】  突然の雨から洗濯物など濡れては困る物に、自動的にカバ−をしたり、窓を閉めたりする。【構成】  水溶性の紙をヒュ−ズにして、雨に濡れて切れる事によりスイッチが入り、カバ−を掛けたり、窓を閉めたり出来る。【選択図】  図１
2005028078.tif 000002
【特許請求の範囲】
【請求項１】
水溶性の紙が水に溶けて切れる事によりスイッチなど入るシステム。
【発明の詳細な説明】
【発明の詳細な説明】
【０００１】  本発明は水溶性の紙が雨水に溶けて切れる事により、例えば、バネ４の圧縮状態をリング状のペ−パ−ヒュ−ズ１で保持しておき、ケ−ス２の穴から雨水が入ると、ペ−パ−ヒュ−ズが溶けて切れ、スイッチ３がオンしてブザ−が鳴る。
ビニ−ルカバ−を丸めて棒状にして、ペ−パ−ヒュ−ズで保持しておき、雨水で溶けて切れる事により、洗濯物など濡れては困る物などに、自動的にカバ−を掛ける。
伸びちじみするパイプの中にバネを入れて、ちじめた状態をペ−パ−ヒュ−ズで保持し、開けてある窓ガラスとサッシの間にパイプをセットして置き、雨水でペ−パ−ヒュ−ズが溶けて切れ、パイプが伸び窓が閉まる。
【０００２】  従来の雨水感知システムは電気式である為、構造が複雑で値段も高く壊れ易い。
【０００３】  本発明は、水溶性の紙が雨水に溶けて切れる事により、スイッチが入るシステムで、バネの力や重力を利用する為、構造が単純で値段も安く壊れにくい。
【０００４】  このようなシステムを利用する事により、洗濯物など濡れては困る物を突然の雨から守る事が出来る。
【図面の簡単な説明】
【図１】  雨水感知スイッチの平面図
【図２】  ペ−パ−ヒュ−ズの平面図
【符号の説明】
１  ペ−パ−ヒュ−ズ
２  ケ−ス
３  スイッチ
４  バネ
【図１】
2005028078.tif 000003
【図２】
2005028078.tif 000004
(57)【要約】      （修正有）【課題】ネックレス、ブレスレットの連結金具に磁石を使用し、接続と脱着を容易にする。【解決手段】接続金具１に磁石２固定し、接続金具１と磁石２に段差５を付け接続金具１を２個重ね合わせて、使用し連結金具とする。磁石２に段差を付ける事により、ＡＢ方向の引力には脱着が困難で装飾品を取り付けた時に容易にはずれない。ＸＹ方向の引力は、段差がないため容易に脱着できる。段差がストッパーの役目をする。磁石を２個重ね合わすことで同位置に簡単に接続できる。磁石２に直接、丸管３を取り付けても、連結金具となる。【選択図】  図１
2005028076.tif 000002
【特許請求の範囲】
【請求項１】
段差５をつけた任意の形の接続金具１の内側に接するように段差５をつけた任意の形の磁石２を固定し接続金具１の断の低い方の外側面、段差面６の中央に対して垂直となる箇所に装飾品を接続する丸管３を取り付ける．（図２）
【請求項２】
任意の形の接続金具１と磁石２に段差５をつける。（図２）
【請求項３】
この接続金具１は、接続面が同一の金具を使用し、装飾品を接続する丸管３が相対する様に２個重ね合わせ使用し連結金具とする。（図１）
【請求項４】
接続金具１の接続面の磁石２は連結時にＳ極とＮ極が互いに相対する様にする。
【請求項５】
接続面４及び段差面６は平面とする。（図２）
【請求項６】
段差５を付けた任意の形の磁石２に直接丸管３を取り付けて連結金具にすること。（図５）
【請求項７】
磁石２の接続面４に段差５と同じＡＢ方向にストッパーの機能もつ凹凸を付けた磁石の連結金具。
【発明の詳細な説明】
【技術分野】
【００１】この発明は、ネックレス、ブレスレットなどの装身具用連結金具の装着と脱着を磁石を使用し容易にする。
【背景の技術】
【００２】従来のネックレス、ブレスレットの磁石を使用した連結金具は、単に磁石の磁力だけで連結するタイプ、爪や磁石の周りを囲み（図４）ＡＢ方向の引力に対しスットパーの役目をさせているタイプなどがある。単に磁石の磁力だけで連結するタイプは（図６）ＡＢ方向の引力に対してストッパーがないため弱い。磁石の周りを囲みストッパーにするタイプは磁石をずらして脱着できない。
【発明が解決しようとする課題】
【００３】連結金具の脱着と装着が容易にできるようにし、連結時の（図４）ＡＢ方向の引力対して強度を保つ。
【課題を解決するための手段】
【００４】段差５をつけた任意の形の接続金具１の内側に接するように段差５をつけた任意の形磁石２を固定させ、接続金具１の段差の低い方の外側面、段差面６中央に対して垂直となる箇所に丸管３を取り付けた物を２個重ね合わせ連結金具として使用する。（図１）磁石２に直接丸管３を同位置に取り付けてよい。（図５）
【発明の効果】
【００５】（イ）  連結する時、磁石を２個使用する事により、接続面４にブレが生じず、同位置に容易に連結する。（ロ）  （図４）ＡＢ方向の引力には、磁石の段差５が有るため脱着が困難である。（ハ）  （図４）ＸＹ方向の引力には、磁石の段差５がなく親指と人差し指で金具を挟み、ＸＹ方向に上下の接続金具１をずらすと脱着が容易に片手で行える。磁石の接続面４は面に対して平行の引力に弱い性能を利用したものである。（ニ）  磁石に直接丸管３を取り付けても同じ機能をする。（図５）
【産業上の利用可能性】
【００６】この連結金具は接続と脱着を片手で容易に行うことができる。利用の可能性イ）装身具の連結ロ）連結作用を片手でしかできない状況及び、状態時。
【図面の簡単な説明】
【図１】連結金具の断面図である。
【図２】斜視図である。（片側連結金具）
【図３】平面図である。（片側連結金具）
【図４】平面図である。（連結金具）
【図５】断面図である。（接続金具１を省いた時）
【図６】断面図である。
【図１】
2005028076.tif 000003
【図２】
2005028076.tif 000004
【図３】
2005028076.tif 000005
【図４】
2005028076.tif 000006
【図５】
2005028076.tif 000007
【図６】
2005028076.tif 000008
(57)【要約】【課題】  片手で洗濯物を取り付け、また、取り外しができる洗濯バサミを提供する。【解決手段】  洗濯バサミの本体形状を従来品のＸ型からＺ型に変更し、支点（５）の位置を挟み部（９）の近くへ設けた。つまみ部（１）（２）に可動式の爪（３）と溝（４）を設け、挟み部（９）を開放固定させ、そして挟み部（９）内で洗濯物を指でつまんだ状態での操作により、挟み部を閉じさせ洗濯物を取り付ける事を可能にしたことを特徴とする。【選択図】    図１
2005028072.tif 000002
【特許請求の範囲】
【請求項１】
本体をＺ型の形状にして、挟み部に近い位置に支点（５）を設けた洗濯バサミ。上部つまみ部（１）（２）を連結固定して挟み部を開放状態にするための、可動式の引っ掛け爪（３）及び、引っ掛け爪（３）が入る溝（４）を設けた洗濯バサミ。
【発明の詳細な説明】
【技術分野】
【０００１】当発明は、片手で洗濯物を取り付け、取り外しができる洗濯バサミに関するものである。
【背景技術】
【０００２】（イ）従来品（現流通品）は、両手で使用することが前提のものであり、片手で洗濯物を持ち、もう一方の手で洗濯バサミを用いるものであった。
（ロ）片手での使用を目標とした従来の考案品には、洗濯物を挟む部分を開放状態に固定して洗濯物を差し入れ、空いている指で閉じさせ用いるものがある（例えば特許文献１及び２参照。）
【特許文献１】特許公開２００１−１４９６９４号（図１）
【特許文献２】登録実用新案第３０７６４５６号（図１）
【発明の開示】
【発明が解決しようとする課題】
【０００３】（イ）従来品は、両手で使用することが前提の為、基本形状がＸ型でその中心に支点がある。そのため操作する部分と洗濯物を挟む部分とが独立し離れている為、片手での使用は、器用であっても指がうまく届かず片手で洗濯物を持った状態で洗濯物の取り付け取り外しが出来なかった。
（ロ）参考特許文献１および特許文献２のように挟む部分が開放状態で固定でき、そして閉じる機能が付加されていても洗濯物をつまんだ状態で挟み部を閉じさせるのは、（イ）と同様に指がうまく届かず使用に問題があった。
当発明は、これらの問題点を解決するためになされたものである。
【問題を解決するための手段】
（イ）本体の形状を従来品のＸ型からＺ型に変更、挟み部（９）に近い位置に支点（５）を設ける。
（ロ）直立状態を定位置とする可動式の爪（３）を設ける、また爪（３）が入る溝（４）を設ける。（つまみ部（１）（２）を連結固定させ挟み部（９）を開放状態にするためのもの）
【発明の効果】
支点の変更と可動式の爪の設定により、洗濯物をつまんだ状態で挟み部を閉じさせる操作が挟み部（９）内で可能となった。そのため指が無理なく届き、片手で使用することが出来るようになった。その結果として、
（イ）両腕を上げた作業から開放され、肉体的負担が軽減される。
（ロ）通常より高いところに洗濯物を干す時やまた、赤子や洗濯籠を抱えている場合でも、作業が可能となった。
（ハ）片腕に障害のある方や高齢者、背の低い子供も無理することなく使用できる。
【発明を実施するための最良の形態】（イ）本体形状を、Ｚ型の形状にして支点（５）を設ける。
（ロ）可動式で直立を正規の位置とする、爪（３）を設ける。また可動部分（１２）の材質は、弾性合成樹脂や硬質ゴムなど反発性のある素材を用いる。
（ハ）爪（３）が入る溝（４）を設ける。
（ニ）バネ（６）を設ける。
本発明は、以上のような構造で、使用方法は、以下の順序となる。
（イ）まず、挟み部（９）を開放状態にするために、上部つまみ部（１）（２）を押圧する、その時に、直立している爪（３）を指で折り曲げながら、溝（４）に入れる。押圧を解くことで、引っ張りのバネ効果により爪を溝に固定させ、挟み部（９）を開放状態に固定維持する。
【図２】
（ロ）次に洗濯物を親指の中程部分と中指が薬指で持ち、開放状態となっている、挟み部（９）に入れる。そして親指の先と人差し指でそれぞれ（７）（８）部をつまんで押圧すると爪（３）と溝（４）との接点に隙間ができ爪（３）が跳ね上がって直立状態に戻り、つまみ部（１）（２）の連結が解かれる。押圧を緩め、指を全て離すことで挟み部（９）が閉じ洗濯物が取り付く。
【図３】
（ハ）取り外す時は、洗濯物をつまんだ状態で（イ）を繰り返す。
【図面の簡単な説明】
【図１】  当発明の正面図である。
【図２】  使用状態を示す正面図である。−挟み部（９）を開放固定する動作
【図３】  使用状態を示す正面図である。−挟み部（９）を閉じる動作
【符号の説明】
１・２つまみ部、３爪、４爪が入る溝、５支点、６バネ線、７・８溝から爪を外すための指掛け部、９挟み部、１０洗濯物、１１指先、１２可動部。
【図１】
2005028072.tif 000003
【図２】
2005028072.tif 000004
【図３】
2005028072.tif 000005
(57)【要約】【課題】  表面をピラミッド状に突起させた、ローラーによる足裏押圧器を提供する。【解決手段】  台座（１）に、ピラミッド状に突起したローラー（２ａ）、（２ｂ）を、軸（３）に通して回転できるように設置した、ピラミッド状に突起したローラーによる足裏押圧器。【選択図】  図１
2005028063.tif 000002
【特許請求の範囲】
【請求項１】
台座（１）に、ピラミッド状に突起したローラー（２ａ）、（２ｂ）を、軸（３）に通して回転できるように設置した、ピラミッド状に突起した口ーラーによる足裏押圧器。
【発明の詳細な説明】
【発明の詳細な説明】
【発明に属する技術分野】
【０００１】  本発明は、表面をピラミッド状に突起させたローラーを回転させながら、足の裏のツボを押圧し、刺激したり、マッサージをすることにより、全身の血行を良くし、脳を活性化させて、健康と精神衛生の増進に役立たせる為の足裏押圧器に関するものである。
現代は、複雑な社会環境により、健康問題が大きな課題であり、社会問題となっている。
身体の全神経が集中しているといわれる足の裏のツボを押圧し、刺激したり、マッサージをすることが健康上最も良く、足は第二の心臓ともいわれているので、足裏押圧器を考えたのである。
【背景技術】
【０００２】  従来より、足の裏を押圧し、マッサージ等を行う健康具は数多くあるが、そのほとんどが玉状のもの、及びいぼいぼ状のものである為、足の裏のツボを適確に、効率良く刺激等を行う事ができなく、身体に与える効果が少ない欠点がある。
又、電動式のものもあるが、玉状のものが多く、しかも自ら足の運動をしない為、筋肉の増強につながらないし、簡易でない欠点があった。
【発明が解決しようとする課題】
【０００３】  従来の足の裏を押圧し、マッサージ等を行う健康具は、玉状のもの、及びいぼいぼ状のものである為、足の裏のツボを適確に、効率良く刺激等を行う事ができなく、身体に与える効果が少ない欠点があった。
本発明は、表面をピラミッド状に突起させたローラーによるもので、このピラミッド状の先が鋭角に突起している為に、身体の全神経が集中している足の裏のツボを回転させながら、適確に効率良く刺激したり、マッサージを行うことができ、身体に与える効果は大きく、健康と精神安定を増進させ、その向上を図るものである。
【課題を解決するための手段】
【０００４】  それを図面で説明すると、台座（１）に、ピラミッド状に突起したローラー（２ａ）、（２ｂ）を軸（３）に通して設ける。
本発明は、以上の構成からなるピラミッド状に突起したローラーによる足裏押圧器である。
【発明を実施するための最良の形態】
【０００５】  本発明の実施の形態について説明すると、台座（１）にピラミッド状に突起したローラー（２ａ）、（２ｂ）を軸（３）に通して回転できるように設置した足裏押圧器。
本発明の足裏押圧器は簡易で便利な為、ローラーを足で回転させながら、足の裏を押圧し、刺激したりマッサージを日常の生活の中で、どこでも気軽に自分の体調にあわせて使用することができる。
又、足の裏ばかりでなく、身体全体にも使用することができ、健康増進への効果を充分に図ることができる。
【発明の効果】
【０００６】  本発明は、表面がピラミッド状で、先が鋭角に突起したローラーを足で回転させながら、自分の体調にあわせ、強弱に足の裏のツボ等を押圧し、刺激したり、マッサージをすることにより、身体の全神経が集中しているといわれている足の裏のツボを適確に、効率良く刺激等を行うことができ、全身の血行を促進し、疲れを癒し、寝付きを早め、活力の回復を促し、そのパワーが増大され、脳の活性化と併せて身体に与える効果は大きい。
又、自ら足を動かす為、足の筋肉の増強が図れるとともに、簡易な為、手軽にどこにでも自分の体調にあわせて使用できるし、長旅や長時間の乗物の運転や立ち仕事にも効果がある。
足の裏ばかりでなく、体全体にも使用でき、快適に目的が達成され、心を癒し、一層の健康増進の効果がある。
尚、木製の場合は、木の感触、香りが体に良い影響を与えてくれるし、わが国の大切な森林資源を有効活用し、廃材でも使用することができる為、木材の効率の良い有効利用と消費の拡大が図れる。
この様に健康増進を図る他、いろいろの面にも活用でき、役立たせるものである。
【図面の簡単な説明】
【図１】  本発明の正面図である。
【図２】  本発明の要部の説明図である。
【図３】  本発明の使用状態を示した説明図である。
【符号の説明】
１  台座
２  ピラミッド状に突起したローラー
３  軸
【図１】
2005028063.tif 000003
【図２】
2005028063.tif 000004
【図３】
2005028063.tif 000005
(57)【要約】【課題】従来のリストバンドは簡単に着脱でき、第三者が身につけている人の意思にかかわらず故意に取り外すことができるリストバンドであった為、容易に取り外すことが不可能なリストバンドを提供する。【解決手段】キー５によるロック式とした事、及びリストバンド本体４は人力では引きちぎれない強度を持ち、鋏などでも切断不可能なもの（ワイヤー、ワイヤー入りゴムベルトなど）とする。【選択図】図１
2005028064.tif 000002
【特許請求の範囲】
【請求項１】
ロック式でキーが無ければはずせないリストバンド
【請求項２】
バンド本体は人力では引きちぎれない強度を持ち、鋏などでも切断不可能なものであることを特徴とする請求項１記載のリストバンド
【請求項３】
キーとは組み番号により、セットとなっている請求項１及び請求項２記載のリストバンド
【発明の詳細な説明】
【技術分野】
【０００１】  この発明は、人の手首に付けるリストバンドの仕様に関する。
【背景技術】
【０００２】  従来のリストバンドは簡単に着脱でき、第三者が容易に取り外すことができるリストバンドであった。
【発明の開示】
【発明が解決しようとする課題】
【０００３】  しかしながら、以上の技術によれば、身につけている人の意思にかかわらず容易に取り外すことができ、場合によっては引きちぎることすら可能であった。そこで、この発明は、ほかの人の意思ではキーがない限り取り外すことが不可能なリストバンドを提供することを課題とする。
【課題を解決するための手段】
【０００４】  以上の課題を解決するために、第一発明は、キーによるロック式としたことを特徴とするリストバンド。
また、第二発明は、バンドは人力では引きちぎれない強度を持ち、鋏などでも切断不可能なもの（ワイヤー、ワイヤー入りゴムベルトなど）であることを特徴とするリストバンドである。【０００５】  また、第三発明は、キーと組み番号によりセットとなっているので、他のセットのキーと混同することがないリストバンドである。
【発明の効果】
【０００６】  第一発明、または第二発明によれば、ロック式リストバンドとすることにより、キーによってのみ以外に取り外すことができない。さらに第三発明により、他のセットのキー、リストバンドと容易に判別できる。
【発明を実施するための最良の形態】
【０００７】  この発明の一実施形態を、図１に示す。
キー差込口１とリストバンド挿入口２があるロック部本体３は手首に装着することを考慮しあまり大柄でなく、かつ十分な強度を持つものである。リストバンド本体４は、人力では引きちぎれない強度を持ち、鋏などでも切断不可能なもの（ワイヤー、ワイヤー入りゴムベルトなど）であり、リストバンド挿入口２は貫通している。ロック部本体３とキー５は同一番号（同一マーク）等がしるされており、他のセットと混同することはない。
「実施形態の効果」【０００８】  この実施形態によれば、リストバンド本体４の先端をリストバンド挿入口２より挿入して身につける人の手首に合わせ、抜け落ちない状態でキー５によりロックすればほかの人の意思ではキー無くして取り外すことが不可能となる。またセット番号によりキーの保持者（例えば保護者）と、リストバンド装着者（例えばその子供）と容易に判別できる。
「他の実施形態」【０００９】  図１の実施形態では、ロックはキー式であるが、他の実施形態では、ロック方式は暗証番号方式でも良い。
【図面の簡単な説明】
【００１０】
【図１】この発明の一実施形態を示す斜視図である。
【符号の説明】
【００１１】  １  はキー差込口  ２  はリストバンド挿入口  ３  はロック部本体
４  はリストバンド本体  ５  はキーである。
【図１】
2005028064.tif 000003
(57)【要約】【課題】  シートに包装された錠剤を取出す時に使用する錠剤取出器を提供する。【解決手段】  短冊型に切った透明樹脂板を真中でＵ字型に折り曲げ、曲げた部分をバネにして互いに接着離返が出来るようにして下片の先端部分に錠剤が通過する大きさの孔を設け、その下部に落ちた錠剤を収容する半球形型または底のついた円筒型の錠剤受を設け、上片先端部分に下片の孔の中央に当るように押出の突起を設けたことを特徴とする。【選択図】  図１
2005028062.tif 000002
【特許請求の範囲】
【請求項１】
短冊型に切った透明樹脂板を真中でＵ字型に折り曲げ、曲げた部分をバネにして互いに接着離返が出来るようにして下片の先端部分に錠剤が通過する大きさの孔を設け、その下部に落ちた錠剤を収容する半球形型または底のついた円筒型の錠剤受を設け、上片先端部分に下片の孔の中央に当るように押出の突起を設けた錠剤取出器。
【発明の詳細な説明】
【発明の詳細な説明】
【発明に属する技術分野】
【０００１】  この発明は、シートに包装された錠剤を取出す時に使用する錠剤取出器に関するものである。
【背景技術】
【０００２】  錠剤シートから錠剤を取出すのには、殆どの場合、シートの表面を指で押して錠剤を取出している。錠剤取出器は他にもあるが、使い難かったりして実際には余り使用されていない。
【発明が解決しようとする課題】
【０００３】  シートから錠剤を取出すことは、病人や高齢者ばかりでなく、健康な人でも使い易い構造で、小型、軽量安価なものが欲しかった。
本発明は、以上の欠点を解決するためになされたものである。
【課題を解決するための手段】
【０００４】  図１に依り説明すると、透明な合成樹脂板を短冊型に切り、ホッチキスのようにＵ宇型に折り曲げる。
下になる部分を下片（１）として、先端部分に錠剤が通過する孔（５）を設け、その下部に半球形型または円筒型の錠剤受（６）を設ける。
上片（１）の先端部分には下片（２）の孔（５）の中央に当るように押出杵（４）を設ける。
本発明は以上のような構成による錠剤取出器である。
【発明を実施するための最良の形態】
【０００５】  以下、本発明の実施の形態を説明する。
本器を使用して、シールから錠剤を取出す時は、上片（１）と下片（２）の間にシートを挟み、押出杵（４）が錠剤の中央に当るようにして、押出杵（４）を指で押すと、錠剤は孔（５）を通り、錠剤受（６）に落ちる。
錠剤受（６）を逆にして、手または紙に移して服用する。
【発明の効果】
【０００６】  本発明は、構造が簡単で掌に入る小型であり、重量も約７ｇと軽量で、使用法も簡単なので病人、高齢者でも安心して使用出来る。
また透明な合成樹脂を使用することによって、本器使用中の錠剤の動きが容易に視認出来る利便もある。
【図面の簡単な説明】
【図１】  本発明の斜視図である。
【図２】  本発明の正面図である。
【図３】  本発明の上面図である。
【図４】  本発明の正面の断面図である。
【符号の説明】
１  上片      ２  下片      ３  屈曲部バネ
４  押出杵    ５  孔        ６  錠剤受
【図１】
2005028062.tif 000003
【図２】
2005028062.tif 000004
【図３】
2005028062.tif 000005
【図４】
2005028062.tif 000006
(57)【要約】【課題】ブラシを使用した後、ブラシに付いた髪の毛又はほこりを簡単にとるために、カバー付きブラシを提供する。【解決手段】ブラシ本体１にカバー本体２を取り付けることによって、ブラシについた髪の毛又はほこりをカバーと一緒に簡単にとれるようにした。【選択図】  図１
2005028091.tif 000002
【特許請求の範囲】
【請求項１】
髪の毛があたる部分にカバーをつけることによって、髪の毛又はほこりをブラシからとりやすくした取り外しカバーつきブラシ。
【発明の詳細な説明】
【発明の詳細な説明】
【技術分野】
【０００１】本発明は、使用したブラシについた髪の毛又はほこりを簡単にとれるようにカバーとブラシが取り外し出来るようにしたものである。
【背景技術】
【０００２】従来は、取り外しが出来るカバーがついたブラシはなかった。
【発明が解決しようとする課題】
【０００３】使用したブラシについた髪の毛又はほこりがブラシからなかなかとれない難点があった。本発明は、この課題を解消するためになされたものである。
【課題を解決するための手段】
【０００４】ブラシ本体１にカバー本体２を装着することによって、ブラシ本体１についた、髪の毛又はほこりをカバー本体２を外すことによって、簡単にブラシ本体１から一緒にとれるようにした。また、ストッパー本体３をつけることによって、ブラシ本体１とカバー本体２が外れないようにした。
【発明を実施するための最良の形態】
【０００５】以下、本発明の実施の形態について説明する。
（イ）、ゴム板４に、中穴６を中棒１１の中心で開ける。外穴７は外棒１０の中心で開けて３ｍｍ外側に平行にずらしてまた３ｍｍ穴を開ける。ゴム板４を取り外しし易くする為にプラスチック棒５を取り付ける。
（ロ）、ブラシ本体１からカバー本体２が外れないように、ストッパー本体３を横から下を通して取り付ける。
【発明の効果】
【０００６】今までなかなかとれなかったブラシに付いた髪の毛又はほこりなどブラシからカバーを取り外すさい、カバーに髪の毛又はほこりが付いて、簡単に一緒にとることが出来るようになった。
【図面の簡単な説明】
【図１】本発明の正面図である。
【図２】本発明の使用状態を示す断面図である。
【符号の説明】
１  ブラシ本体
２  カバー本体
３  ストッパー本体
４  ゴム板（厚さ１ｍｍ）
５  プラスチック棒
６  中穴（３ｍｍ）
７  外穴（３ｍｍ×２）
８  ゴム板Ｂ（厚さ１ｍｍ）
９  プラスチックフック
１０  外棒
１１  中棒
【図１】
2005028091.tif 000003
【図２】
2005028091.tif 000004
(57)【要約】【課題】従来のシステムキッチンは洗浄器の位置が悪く、食器棚がないため、ヒザや腰をまげる動作が多く、又、洗った食器を別の場所の食器棚へ何回も運ばなければならなかった。【解決手段】上部収納棚の下に強固な食器棚を設置し、シンクの横の調理台を食器洗浄乾燥機の上方向に開くフタとしてその位置に食器洗浄乾燥機をおくことにより、上記のムダな働きをしなくていいシステムキッチンにした。【選択図】図３
2005028093.tif 000002
【特許請求の範囲】
【請求項１】
キッチンの上部収納棚の下に強固な食器棚を設置し、シンクの横の調理台部分を上方向に開くフタ、とした位置に食器洗浄乾燥機を設置したシステムキッチン。
【発明の詳細な説明】
【技術分野】
【０００１】  本発明は、食器の扱い易さを、追求したシステムキッチンに関する。
【背景技術】
【０００２】  従来のシステムキッチンの洗浄機は引き出し式、開閉式、等下の方にあり、又、キッチンと、上部収納の間に奥行き、高さ２５ｃｍ程の強度のないステンレス等の吊り棚があった．小物を吊るだけ、おくだけでこのスペースは有効利用されなかった。
【発明の開示】
【発明が解決しようとする課題】
【０００３】  以上のようでは、洗浄機に食器を入れる時、出す時、ヒザ腰をまげ覗きこむ姿勢を強いられ、しまう時、一度にもてる数は少なく、別の場所の食器棚にはこばなければならず、しかも、何度も繰り返していた。【０００４】  本発明は、このようなムダな動作を無くす事を目的とする。
【課題を解決するための手段】
【０００５】  上記目的を達するには、シンクのとなりの調理台部分に上部方向へ開閉する設計の天蓋のついた食器洗浄乾燥機を、この位置におく、そして、吊り棚の所に、戸、又は、ドアの付いた、食器棚をつくる。
【発明の効果】
【０００６】  本発明のシステムキッチンは、シンクから食器洗浄乾燥機そして食器棚まで一ヶ所に立ったままですむ。
【発明を実施するための最良の形態】
【０００７】  以下、本発明の実施の形態を図１〜図３で説明する。【０００８】  図１の▲１▼、▲３▼は、従来のステンレス等の吊り戸、洗浄機の位置である。【０００９】
2005028093.tif 000003
【００１０】  図３の▲１▼は洗浄機のフタを開けた所である．調理台としても使うので強度が求められる、洗浄機には必ず乾燥機付きがベストだ。
▲２▼のシンクは、洗浄機のとなりがベスト．つけおき洗いのため広いものがよい。
▲３▼は食器棚である．高３０ｃｍ、奥３５ｃｍ、長１５０ｃｍ程度長さはシステムキッチン全体の大きさにもよるが、この位の棚なら全く不便はない．収納も、調理の時も。重量にたえる強度、手入れの良さが大事である。【００１１】この設計であれば、子育てとパートをしている主婦、お年より、新生活者、せまい家、等、効果を発揮するはずである。
【図面の簡単な説明】
【００１２】
【図１】従来のキッチンの正面図
【図２】図１の▲２▼、▲３▼をあけた時の側面図
【図３】発明のキッチンの正面図
【符号の説明】
【００１３】  図３の▲１▼食器を出し入れする、フタの位置でありあけた所である。
【図１】
2005028093.tif 000004
【図２】
2005028093.tif 000005
【図３】
2005028093.tif 000006
(57)【要約】【課題】  この発明は複雑で動きのあるスライド式ゲームに関するものである。【解決手段】  盤上にスライド式の板を敷き詰め、指示板（１）に方向性を示した。その敷き詰めた板上を駒が指示にしたがって動くようにした。【選択図】  図２
2005028087.tif 000002
【特許請求の範囲】
【請求項１】
（イ）盤上にスライドする指示板（１）スタート板（２）ゴール板（３）チェックポイント板（４）を敷き詰めその上を駒が動く。
以上の如く構成され
（ロ）自分の駒（５）をサイコロ及びルーレットの出た目又は決められた回数指示板（１）を任意の方向に動かし、指示板（１）の指示に従い板上を進行し、相手より早くゴール板に辿り着いたほうが勝ちとなるゲーム
【請求項２】
コンピュータゲームに転用した請求項１のゲーム
【発明の詳細な説明】
【発明の詳細な説明】
この発明は、盤上をスライドする指示板、スタート板、チェックポイント、ゴール板で構成された動きに自在性があるゲームです。従来のゲームでは盤上をスライドさせなおかつ各板上を駒が移動するゲームは存在しなかった。本案は、固定式の盤上にスライドする板を載せることでゲームにアクションと複雑な展開を可能とし、従来にない深い読みと面白さを実現した。サイコロ、ルーレットの出た目で進行する場合は運と展開の読みが勝負を決めるため、興味深いゲームとなる。決められた回数で進行する場合も相手の動きを読むなど深い、洞察力が求められ知育ゲームとして利用価値が高い。指示板は、矢印やイラストで示す方法がある。
【図面の簡単な説明】
【図１】本発明の正面図
【図２】本発明の断面図
【符号の説明】
１は指示板、２はスタート板、３はゴール板、４はチェックポイント板
５は駒、６はゲーム盤。
【図１】
2005028087.tif 000003
【図２】
2005028087.tif 000004
(57)【要約】【課題】靴の蒸れをなくすために靴の中に空気を送って、なおかつ足への衝撃を和らげる装置に関するものである。【解決手段】靴のかかとに内蔵したふいごの役するばねで靴の中に空気を送る。【選択図】図１
2005028085.tif 000002
【特許請求の範囲】
【請求項１】
靴本体（１）の靴底（２）の内部に、支点（３）とするばね（４）を組み込みそれにふいごの役をさせるため膜（５）を付け空気取り入れ弁付口（６）と空気出す弁付口（７）を支点（３）の近くに仕組む、そこから空気を外から取り入れる管（８）と靴の中に空気を送る三又管（９）がある。その三又管（９）から来た空気を靴の中に行き渡るようにメッシュの中敷（１０）を使う。一対の靴は同じ仕組みです。これがかかとのクッションを利用して蒸れをなくすビジネス靴。
【発明の詳細な説明】
【発明の詳細な説明】
【技術分野】
【０００１】  この発明は、ビジネス靴の蒸れをなくしさわやかにして、なおかつ足への衝撃を、ばねで緩和するための、かかとのクッションを利用して蒸れをなくすビジネス靴に関するものである。
【背景技術】
【０００２】  従来は、靴底はゴム又スポンジのような科学物質でたいてい１種類か２種類出来ていて、複雑な細工は無かった。
【発明が解決しようとする課題】
【０００３】  これには、次のような欠点があった。
（イ）、ピジネス靴は蒸れで不快であった、悪臭を放つ時もあり水虫にかかりやすい。
（ロ）、足に衝撃が伝わって関節をいためたりしていた。
本発明は、これらの欠点を除くためになされたものである。
【課題を解決するための手段】
【０００４】  靴本体（１）の靴底（２）の内部に、支点（３）とするばね（４）を組み込みそれにふいごの役をさせるため膜（５）を付け空気取り入れ弁付口（６）と空気出す弁付口（７）を支点（３）の近くに仕組む、そこから空気を外から取り入れる管（８）と靴の中に空気を送る三又管（９）がある。靴の中敷（１０）はメッシュにして三又管（９）からの空気が靴の中に行き渡るようにする。  一対の靴は同じ仕組みです。本発明は、以上のような構成からなる、クッションを利用して蒸れをなくすビジネス靴である。
【本発明の実地の形態】
【０００５】    以下、本発明の形態について説明する。人は歩く時、左右の足を踏み込んだり浮かしたりを交互に繰り返します、この靴は最初の踏み込みでふいごの役をするばねは下がりその中の空気は出す弁付口（７）から空気を送る三又管（９）で靴の中に送ら靴の中はさわやかに、ふいごの役をするばねの中の空気は空になりなります、次に浮かすことによりふいごの役をするばねは元の形へ、その時に靴の上部の管（８）から空気を取り入れふいごの役をするばねの中は空気でいっぱいになります。いっぱいになると又踏み込んでふいごの役をするばね下がりその中の空気は、空気を出す弁付口（７）から空気を送る三又管（９）で靴の中に送られます。この動作の繰り返しで呼吸する様に靴の中に新しい空気を送り続けます。一対の靴は同じ仕組みです。
【発明の効果】
【０００６】  靴本体（１）の靴底（２）に内蔵するふいごの役をするばねは、人がこの靴を履いて歩いた時に体重の移動で上下して自然に靴の中に空気を送って足をさわやかにする。なおかつばねがクッションの役目をして足への衝撃を弱める。
【図面の簡単な説明】
【図１】本発明の側面の断面図である。
【図２】本発明の平面からの断面図である。
【符号の説明】
１  靴本体
２  靴底
３  ばねの支点
４  ばねの本体
５  膜
６  ばねの空気取り入れ弁付口
７  ばねの空気出す弁付口
８  靴の外から空気取り入れ管
９  靴の中に空気送る三又管
１０  メッシュの中敷
【図１】
2005028085.tif 000003
【図２】
2005028085.tif 000004